(57)【特許請求の範囲】
【請求項１】
フクロウが出入りする開口部を側面に有するフクロウ用巣箱であって、
前記開口部が形成される正面板は、角部を切り欠くことにより鉛直縁部と水平縁部とを備え、
前記開口部の下端開口縁部は、略水平に形成されており、
前記フクロウ用巣箱の内側底面から前記開口部の前記下端開口縁部までの高さが３００ｍｍ以上４００ｍｍ以下の範囲にあることを特徴とするフクロウ用巣箱。
【請求項２】
請求項１に記載のフクロウ用巣箱であって、
前記下端開口縁部は棒状の止まり木によって形成されており、
前記止まり木の直径は、前記側面を構成する板材の板厚よりも大きく形成されていることを特徴とするフクロウ用巣箱。
【請求項３】
請求項１または２に記載のフクロウ用巣箱であって、
少なくとも前記フクロウ用巣箱の底板が開閉可能に取付けられていることを特徴とするフクロウ用巣箱。
【発明の詳細な説明】
【技術分野】
【０００１】
この発明は、フクロウ用巣箱に関するものである。
【背景技術】
【０００２】
豊かな里山環境の象徴的な生き物として、フクロウが挙げられる。フクロウは、平地から山地にかけての森林に生息する猛禽類に属する野鳥で、里山環境における生態系ピラミッドの頂点捕食者の一種である。近年、森林の減少によって営巣場所となる洞のある大木が減少したため、フクロウの営巣場所の確保が困難となり、フクロウが減少しつつある。このフクロウの減少を抑制して繁殖を促すために、森林の高木に巣箱を設置し、フクロウに営巣場所を提供することが考えられる。
【０００３】
野鳥用の巣箱としては様々なものが提案されている。
例えば、特許文献１では、表皮を付けたままの自然丸木をくりぬいて巣箱本体が形成されている。出入り口は、巣箱本体の上部をくりぬいて円形に形成されている。従来は、特許文献１のような一般の野鳥用の巣箱を、フクロウに適した大きさに形成して山林に設置することにより、フクロウに営巣場所を提供していた。
【先行技術文献】
【特許文献】
【０００４】
【特許文献１】特開平８−２５６６２５号公報
【発明の概要】
【発明が解決しようとする課題】
【０００５】
フクロウは、営巣場所を決定する際に、候補となる営巣場所の出入り口に一端静止して内部を覗きこみ、安全性や居住性を確認するという性質を有している。
ところで、フクロウは眼球が眼窩に固定されているため、眼球を動かすことができない。このため、フクロウは、候補となる営巣場所の出入り口から、頭部を内部の奥深くまで突っ込んで、営巣場所の安全性や居住性を確認する必要がある。
【０００６】
しかし、特許文献１の巣箱は出入り口の形状が円形である。したがって、フクロウが巣箱の出入り口から頭部を内部の奥深くまで突っ込んで内部を確認する際、出入り口の円弧部に足を配置することになる。このため、フクロウが巣箱の内部を確認するのに、フクロウの足場が非常に不安定であると考えられる。したがって、フクロウは巣箱の内部を十分に確認できず、フクロウの営巣を誘引できないおそれがある。
【０００７】
また、巣箱の内部から巣箱の外部の様子を伺う際には、フクロウは体を伸縮させることにより、巣箱の出入り口から巣箱の外部を覗き見ようとすると考えられる。しかし、特許文献１の巣箱の外形および出入り口をフクロウに適した大きさに形成しただけでは、フクロウは巣箱の出入り口から外部を簡単に覗き見ることができない。したがって、フクロウが快適に営巣および繁殖できないおそれがある。
【０００８】
そこで本発明は、フクロウの営巣を誘引し、フクロウが快適に営巣および繁殖できるフクロウ用巣箱の提供を課題とする。
【課題を解決するための手段】
【０００９】
上記の課題を解決するため、本発明のフクロウ用巣箱は、フクロウが出入りする開口部を側面に有するフクロウ用巣箱であって、前記開口部が形成される正面板は、角部を切り欠くことにより鉛直縁部と水平縁部とを備え、前記開口部の下端開口縁部は、略水平に形成されており、前記フクロウ用巣箱の内側底面から前記開口部の前記下端開口縁部までの高さが３００ｍｍ以上４００ｍｍ以下の範囲にあることを特徴とする。
【００１０】
本発明によれば、フクロウ用巣箱の開口部の下端開口縁部は、略水平に形成されている。したがって、フクロウが候補となる営巣場所の内部を確認する際に、略水平に形成された開口部の下端開口縁部に足爪を配置することができるので、フクロウは安定した足場を確保できる。これにより、フクロウは、足場を気にせずに頭部を巣箱の奥深くまで突っ込んで、候補となる営巣場所の内部を確認することができるので、フクロウの営巣を誘引できる。
ところで、フクロウの抱卵時の体高は、一般に２５０ｍｍから３００ｍｍ程度である。また、フクロウ用巣箱の内側底面には、わらや小枝等により産座が５０ｍｍ程度形成されている。そのため、抱卵時にフクロウの頭頂部は、フクロウ用巣箱の内側底面より３００ｍｍから３５０ｍｍ程度の範囲に配置される。本発明によれば、フクロウ用巣箱の内側底面から開口部の下端開口縁部までの高さが、３００ｍｍ以上４００ｍｍ以下の範囲にある。このため、抱卵時にフクロウの頭頂部は、開口部の下端開口縁部の近傍もしくは下端開口縁部の下方に配置される。これにより、抱卵時のフクロウは、フクロウ用巣箱の外部から視認されにくいため、外敵に見つかりにくくなる。したがって、フクロウは快適に営巣および繁殖することができる。
また、抱卵時のフクロウがフクロウ用巣箱の外部を確認したいときには、体を伸長させて開口部の下端開口縁部の上方に頭部を飛び出させ、開口部から外部を覗き見ようとする。ここで、フクロウは体を５０ｍｍから８０ｍｍ程度伸長することができる。そのため、フクロウが抱卵しつつ体を伸長させた時に、フクロウの体高は３００ｍｍから３８０ｍｍ程度になる。そして、体を伸長させた時のフクロウの頭頂部は、産座の高さ５０ｍｍ程度を含めると、フクロウ用巣箱の内側底面より３５０ｍｍから４３０ｍｍの範囲に配置される。また、フクロウの頭頂部から目の中心までの距離は４５ｍｍから６０ｍｍ程度であるため、フクロウの目は、フクロウ用巣箱の内側底面より２９０ｍｍから３８５ｍｍの範囲に配置される。このように、フクロウは体を伸長させるだけで、開口部から目を出し、フクロウ用巣箱の外部を簡単に確認できる。したがって、フクロウは快適に営巣および繁殖することができる。
【００１１】
また、前記下端開口縁部は棒状の止まり木によって形成されており、前記止まり木の直径は、前記側面を構成する板材の板厚よりも大きく形成されていることが望ましい。
一般にフクロウの足爪は、薄い板材よりも棒状の止まり木のほうを把持しやすい。本発明によれば、下端開口縁部は、側面を構成する板材の板厚よりも大きい直径を有する止まり木によって形成されている。したがって、フクロウは足爪で棒状の止まり木を強固に把持し、さらに安定した足場を確保することができる。これにより、フクロウは足場を気にせず頭部を奥深くまで突っ込んで、候補となる営巣場所の内部を十分に確認することができるので、確実にフクロウの営巣を誘引できる。
【００１２】
また、少なくとも前記フクロウ用巣箱の底板が開閉可能に取付けられていることが望ましい。
本発明によれば、フクロウ用巣箱の内側底面にたまったフクロウの糞や食べかす等のゴミを簡単に掃除することができる。したがって、フクロウ用巣箱の整備が簡単にできるので、フクロウが快適に営巣および繁殖できる環境を提供することができる。
【発明の効果】
【００１３】
本発明によれば、フクロウ用巣箱の開口部の下端開口縁部は、略水平に形成されている。したがって、フクロウが候補となる営巣場所の内部を確認する際に、略水平に形成された開口部の下端開口縁部に足爪を配置することができるので、フクロウは安定した足場を確保できる。これにより、フクロウは、足場を気にせずに頭部を巣箱の奥深くまで突っ込んで、候補となる営巣場所の内部を確認することができるので、フクロウの営巣を誘引できる。
ところで、フクロウの抱卵時の体高は、一般に２５０ｍｍから３００ｍｍ程度である。また、フクロウ用巣箱の内側底面には、わらや小枝等により産座が５０ｍｍ程度形成されている。そのため、抱卵時にフクロウの頭頂部は、フクロウ用巣箱の内側底面より３００ｍｍから３５０ｍｍ程度の範囲に配置される。本発明によれば、フクロウ用巣箱の内側底面から開口部の下端開口縁部までの高さが、３００ｍｍ以上４００ｍｍ以下の範囲にある。このため、抱卵時にフクロウの頭頂部は、開口部の下端開口縁部の近傍もしくは下端開口縁部の下方に配置される。これにより、抱卵時のフクロウは、フクロウ用巣箱の外部から視認されにくいため、外敵に見つかりにくくなる。したがって、フクロウは快適に営巣および繁殖することができる。
また、抱卵時のフクロウがフクロウ用巣箱の外部を確認したいときには、体を伸長させて開口部の下端開口縁部の上方に頭部を飛び出させ、開口部から外部を覗き見ようとする。ここで、フクロウは体を５０ｍｍから８０ｍｍ程度伸長することができる。そのため、フクロウが抱卵しつつ体を伸長させた時に、フクロウの体高は３００ｍｍから３８０ｍｍ程度になる。そして、体を伸長させた時のフクロウの頭頂部は、産座の高さ５０ｍｍ程度を含めると、フクロウ用巣箱の内側底面より３５０ｍｍから４３０ｍｍの範囲に配置される。また、フクロウの頭頂部から目の中心までの距離は４５ｍｍから６０ｍｍ程度であるため、フクロウの目は、フクロウ用巣箱の内側底面より２９０ｍｍから３８５ｍｍの範囲に配置される。このように、フクロウは体を伸長させるだけで、開口部から目を出し、フクロウ用巣箱の外部を簡単に確認できる。したがって、フクロウは快適に営巣および繁殖することができる。
【図面の簡単な説明】
【００１４】
【図１】フクロウ用巣箱の斜視図である。
【図２】フクロウ用巣箱の正面図である。
【図３】図２のＡ−Ａ線における断面図である。
【図４】Ｈ方向から見たときのフクロウとフクロウ用巣箱の説明図である。
【図５】フクロウが抱卵している時のフクロウ用巣箱の説明図である。
【図６】フクロウが外部を観察している時のフクロウ用巣箱の説明図である。
【発明を実施するための形態】
【００１５】
（フクロウ用巣箱、各板）
以下に、本発明の実施形態のフクロウ用巣箱につき図面を参照して説明する。
図１は、フクロウ用巣箱１の斜視図である。
図２は、フクロウ用巣箱１の正面図である。
なお、以下の説明では、フクロウ用巣箱１の幅方向をＷ方向とし、正面視で右側を＋Ｗ側とし、正面視で左側を−Ｗ側としている。また、フクロウ用巣箱１の奥行き方向をＤ方向とし、正面側を＋Ｄ側とし、背面側を−Ｄ側としている。さらに、フクロウ用巣箱１の高さ方向をＨ方向とし、上側を＋Ｈ側とし、下側を−Ｈ側としている。
【００１６】
図１および図２に示すように、本実施形態のフクロウ用巣箱１は直方体形状をしており、右側板２０、左側板２５、天板３０、底板３５、背面板１５および正面板１０の各板によって形成されている。なお、本実施形態のフクロウ用巣箱１は、木材を切り出して形成された前記各板を張り合わせて形成している。しかし、これに限定するものではなく、例えば、樹脂や金属等によって形成してもよい。また、本実施形態の各板の板厚は例えば１０ｍｍ程度であるが、要求される強度等に応じて適宜選択される。
【００１７】
右側板２０および左側板２５は長方形状をしている。右側板２０および左側板２５は、Ｄ方向の寸法が例えば３５０ｍｍ程度、Ｈ方向の寸法が例えば６００ｍｍ程度に設定される。
【００１８】
天板３０および底板３５は、略正方形状をしている。天板３０および底板３５は、Ｄ方向およびＷ方向の寸法が例えば３７０ｍｍ程度に設定される。なお、後述するように、底板３５は、フクロウ用巣箱から着脱可能に取り付けられる。
【００１９】
背面板１５は長方形状をしている。背面板１５は、例えば、Ｗ方向の寸法が例えば３７０ｍｍ程度、Ｈ方向の寸法が例えば６００ｍｍ程度に設定される。
正面板１０は、Ｗ方向の寸法が例えば３７０ｍｍ程度、Ｈ方向の寸法が例えば６００ｍｍ程度の外形を有している。そして、正面板１０は、長方形状の板の角部を切り欠いた切り欠き部１０ａを有している。具体的には、＋Ｗ側かつ＋Ｈ側に配置された角部を、＋Ｗ側から−Ｗ側に向かって例えば２１０ｍｍ程度、＋Ｈ側から−Ｈ側に向かって例えば２６５ｍｍ程度の範囲を切り欠いて、切り欠き部１０ａを形成している。これにより、切り欠き部１０ａの−Ｈ側端には、Ｗ方向に沿って水平縁部１０ｂが形成され、切り欠き部１０ａの−Ｗ側端には、Ｈ方向に沿って鉛直縁部１０ｃが形成される。この鉛直縁部１０ｃと、天板３０と、右側板２０と、水平縁部１０ｂに取り付けられる後述の止まり木４０とで、フクロウが出入りする矩形状の開口部１１を形成している。開口部１１のＨ方向の寸法は、鉛直縁部１０ｃの長さ２６５ｍｍから止まり木４０の半径値１５ｍｍ（後述）を引いた２５０ｍｍ程度となる。また、開口部１１のＷ方向の寸法は、水平縁部１０ｂの長さ２１０ｍｍから右側板の板厚を引いた２００ｍｍ程度となる。ここで、フクロウの足から頭頂部までの体高は一般に２７０ｍｍ程度であり、フクロウの体幅は、一般に１８５ｍｍ程度である。したがって、フクロウは開口部１１をくぐって、フクロウ用巣箱１の内部に入ることができる。なお、開口部１１のＨ方向およびＷ方向の寸法は、フクロウのサイズ等に応じて、例えば±２５ｍｍ程度の範囲で設定される。
【００２０】
（フクロウ用巣箱、止まり木）
図３は、図２のＡ−Ａ線における断面図である。
図３に示すように、正面板１０の開口部１１の−Ｈ側開口縁部１１ａは、止まり木４０によって形成されている。止まり木４０は、木材や樹脂等により形成される丸棒状の部材である。
止まり木４０のＷ方向の長さは、２００ｍｍ程度である。これにより、−Ｈ側開口縁部１１ａの全体を止まり木４０で形成することができる。
また、止まり木４０の直径は、例えば３０ｍｍ程度である。なお、止まり木４０の直径は、例えば３０ｍｍから４０ｍｍ程度が好ましい。止まり木４０の直径を３０ｍｍから４０ｍｍ程度の太さとすることにより、一般にフクロウは止まり木を把持しやすいと考えられるためである。
【００２１】
また、止まり木４０は、正面板１０の板厚（１０ｍｍ）よりも大きな直径を有している。このため、フクロウは、止まり木４０がない状態で正面板１０を把持する場合と比較して、開口部１１の−Ｈ側開口縁部１１ａを把持しやすくなると考えられる。ここで、一般的な鳥類の足は、前に３本、後ろに１本の足爪を有している。しかし、フクロウは、外側の足爪の間接が柔らかいため、前後に２本ずつ足爪を配置できる。したがって、棒状の止まり木が配置されている場合、フクロウは前後に２本ずつ足爪を配置して止まり木４０を強固に把持することができる。したがって、さらに安定した足場を確保することができると考えられる。
【００２２】
図３に示すように、止まり木４０には溝部４１が形成されている。溝部４１は、Ｗ方向から見て、止まり木４０の中心付近から−Ｈ側に向かって形成され、−Ｈ側に開口を有し、止まり木４０の延在方向に沿って全域にわたり形成されている。溝部４１のＨ方向の深さは、止まり木４０の半径と略同一の１５ｍｍ程度に形成されている。溝部４１のＤ方向の幅は、正面板１０の板厚よりも若干広く形成されている。したがって、切り欠き部１０ａの水平縁部１０ｂを溝部４１内に挿入することができる。なお、正面板１０と止まり木４０とは、接着剤や釘等により強固に固定される。このように、切り欠き部１０ａの水平縁部１０ｂに沿って、止まり木４０を略水平に取り付けることができるので、開口部１１の−Ｈ側開口縁部１１ａを略水平に形成することができる。
【００２３】
ここで、前述のとおり＋Ｈ側から−Ｈ側に向かって２６５ｍｍ程度の範囲を切り欠いて、切り欠き部１０ａおよび水平縁部１０ｂを形成している。したがって、正面板１０の−Ｈ側端部からの水平縁部１０ｂの位置は、正面板１０のＨ方向の長さ６００ｍｍから切り欠き範囲２６５ｍｍを引いた、３３５ｍｍ程度の位置となる。また、止まり木４０の溝部４１の深さが１５ｍｍ程度であるため、止まり木４０の＋Ｈ側頂部４０ａは、切り欠き部１０ａの水平縁部１０ｂから＋Ｈ側に１５ｍｍ程度の位置に配置される。したがって、正面板１０の−Ｈ側端部、すなわちフクロウ用巣箱１の内側底面３５ａから、開口部１１の−Ｈ側開口縁部１１ａとなる止まり木４０の＋Ｈ側頂部４０ａまでの高さｈ（図２参照）は、３５０ｍｍ程度となる。なお、高さｈの寸法は、フクロウのサイズ等に応じて例えば３５０±５０ｍｍ程度の範囲で設定される。また、高さｈとフクロウの関係については後述する。
【００２４】
上述した右側板２０、左側板２５、天板３０、背面板１５、底板３５および正面板１０の各板を組み合わせることにより、フクロウ用巣箱１が形成される。右側板２０、左側板２５、正面板１０、背面板１５および天板３０の各板は接着剤や釘等により強固に固定される。
【００２５】
また、本実施形態の底板３５は開閉可能に取り付けられている。例えば、右側板２０、左側板２５、背面板１５および正面板１０の各側面の−Ｈ側に、外方に突出する第１突起部３７ａを釘等により形成する。また、底板３５の各側面における第１突起部３７ａに対応した位置に、外方に突出する第２突起部３７ｂを釘等により形成する。そして、第１突起部３７ａと第２突起部３７ｂとを、例えばタイラップや針金等のバンド部材３８でくくる。これにより、右側板２０、左側板２５、背面板１５および正面板１０の各側面の−Ｈ側に、底板３５を開閉可能に取り付けることができる。このように、フクロウ用巣箱１の底板３５が開閉可能に取付けられているので、フクロウ用巣箱１の内側底面３５ａにたまったフクロウの糞や食べかす等のゴミを簡単に掃除することができる。
【００２６】
上述のフクロウ用巣箱１は、里山環境の森林における高木に設置される。フクロウ用巣箱１は、例えば針金等で高木の幹にくくりつけて取り付けられる。一般に、フクロウのつがいの行動範囲は、直径２ｋｍの範囲とされている。したがって、直径２ｋｍの範囲に１個の割合でフクロウ用巣箱１を設置するのが望ましい。
【００２７】
（フクロウ用巣箱とフクロウとの関係）
上述ように各板を組み合わせることで、内部におけるＷ方向の寸法が例えば３５０ｍｍ程度、Ｄ方向の寸法が例えば３５０ｍｍ程度、Ｈ方向の寸法が例えば６００ｍｍ程度のフクロウ用巣箱１が形成されている。具体的には、フクロウ用巣箱１内部のＷ方向の寸法は、正面板１０および背面板１５のＷ方向の寸法３７０ｍｍから右側板２０および左側板２５の板厚を引いて３５０ｍｍ程度に形成される。フクロウ用巣箱１内部のＤ方向の寸法は、右側板２０および左側板２５のＤ方向の寸法と同じため、３５０ｍｍ程度に形成される。フクロウ用巣箱１のＨ方向の寸法は、正面板１０および背面板１５のＨ方向の寸法と同じため、６００ｍｍ程度に形成される。なお、各方向の寸法は例えば±１００ｍｍ程度の範囲で、営巣させるフクロウのサイズに合わせて適宜設定される。
【００２８】
図４は、Ｈ方向から見たときのフクロウとフクロウ用巣箱の説明図である。
前述のとおり、成鳥フクロウ５の体幅は、一般に１８５ｍｍ程度である。また、幼鳥フクロウ７の体幅は、一般に１２５ｍｍ程度である。フクロウ用巣箱１内部のＷ方向およびＤ方向の寸法を３５０ｍｍ程度に形成することで、成鳥フクロウ５と幼鳥フクロウ７とがＷ方向およびＤ方向に沿って並んで生活することができる。したがって、図４に示すように、成鳥フクロウ５が１羽および幼鳥フクロウ７が２〜３羽生活するのに十分なスペースを確保できる。
また、成鳥フクロウ５の足から頭頂部までの体高は２７０ｍｍ程度である。フクロウ用巣箱１内部のＨ方向の寸法を６００ｍｍ程度に形成することで、成鳥フクロウ５の頭上とフクロウ用巣箱１の天板３０との間に十分なスペースを確保できる。したがって、成鳥フクロウ５が生活するのに十分なスペースを確保できる。
【００２９】
図５は、成鳥フクロウ５が抱卵している時のフクロウ用巣箱１の説明図である。
前述のとおり、正面板１０の−Ｈ側端部から、開口部１１の−Ｈ側開口縁部１１ａまでの高さｈ（図２参照）は、３５０ｍｍ程度となる。また、正面板１０の−Ｈ側端部と、フクロウ用巣箱１の内側底面３５ａとは面一である。したがって、フクロウ用巣箱１の内側底面３５ａから、開口部１１の−Ｈ側開口縁部１１ａまでの高さｈは、３５０ｍｍ程度となる。
ここで、フクロウ５が卵５１を抱卵しているときの体高は、一般に２５０ｍｍから３００ｍｍ程度である。また、フクロウ用巣箱１の内側底面３５ａには、わらや小枝等により産座５３が５０ｍｍ程度形成されている。そのため、抱卵時のフクロウ５の頭頂部５ａは、フクロウ用巣箱１の内側底面３５ａより３００ｍｍから３５０ｍｍの範囲に配置される。ここで、本実施形態では、内側底面３５ａから開口部１１の−Ｈ側開口縁部１１ａまでの高さｈは、３５０ｍｍ程度に形成されている。そのため、抱卵時にフクロウの頭頂部５ａは、開口部１１の−Ｈ側開口縁部１１ａよりも−Ｈ側に配置される。これにより、抱卵時のフクロウ５はフクロウ用巣箱１の外部から視認されにくいので、フクロウ５は外敵に見つかりにくくなる。したがって、フクロウ５は安心して抱卵できるので、快適に営巣および繁殖することができる。
【００３０】
図６は、成鳥フクロウ５がフクロウ用巣箱１の外部を観察している時のフクロウ用巣箱１の説明図である。
図６に示すように、フクロウ５が卵５１を抱卵しつつフクロウ用巣箱１の外部を確認したいとき、フクロウ５は体５ｂを伸長させて、開口部１１の−Ｈ側開口縁部１１ａよりも＋Ｈ側に頭部を飛び出させ、開口部１１からフクロウ用巣箱１の外部を覗き見ようとする。ここで、フクロウ５は体５ｂを５０ｍｍから８０ｍｍ程度伸長することができる。そのため、卵５１を抱卵しつつフクロウ５が体５ｂを伸長させた時に、フクロウ５の体高は３００ｍｍから３８０ｍｍ程度である。したがって、体５ｂを伸長させた時のフクロウ５の頭頂部５ａは、フクロウ用巣箱１の内側底面３５ａより３５０ｍｍから４３０ｍｍの範囲に配置される。また、フクロウ５の頭頂部５ａからフクロウ５の目５ｃの中心までの距離は４５ｍｍから６０ｍｍ程度であるので、フクロウ５の目５ｃは、フクロウ用巣箱１の内側底面より２９０ｍｍから３８５ｍｍの範囲に配置される。ここで、本実施形態では、内側底面３５ａから開口部１１の−Ｈ側開口縁部１１ａまでの高さｈは、３５０ｍｍ程度に形成されている。そのため、フクロウ５は体５ｂを伸長させるだけで、開口部１１の−Ｈ側開口縁部１１ａよりも＋Ｈ側に目５ｃを出し、フクロウ用巣箱１の外部を簡単に確認できる。したがって、フクロウ５は快適に営巣および繁殖することができる。
【００３１】
本実施形態によれば、図１に示すように、フクロウ用巣箱１の止まり木４０が略水平に配置されている。したがって、フクロウが候補となる営巣場所の内部を確認する際に、略水平に形成された止まり木４０に足爪を配置することができるので、フクロウは安定した足場を確保できる。これにより、フクロウは足場を気にせず頭部を奥深くまで突っ込んで、候補となる営巣場所の内部を確認することができるので、フクロウの営巣を誘引できる。
【００３２】
また、本実施形態によれば、図５に示すように、抱卵時にフクロウ５の頭頂部５ａが、開口部１１の−Ｈ側開口縁部１１ａの−Ｈ側に配置される。これにより、抱卵時のフクロウ５は、フクロウ用巣箱１の外部から視認されにくいため、外敵に見つかりにくくなる。したがって、フクロウ５は快適に営巣および繁殖することができる。また、図６に示すように、フクロウ５は体５ｂを伸長させるだけで、開口部１１から目５ｃを出し、フクロウ用巣箱１の外部を簡単に確認できる。したがって、フクロウ５は快適に営巣および繁殖することができる。
【００３３】
なお、この発明は上述した実施の形態に限られるものではない。
本実施形態のフクロウ用巣箱の外形は、略直方体形状に形成しているが、実施形態の形状に限られず、例えば略円筒形状等の種々の形状に変更が可能である。
また、本実施形態のフクロウ用巣箱の止まり木は、丸棒状であるが、実施形態の形状に限られず、例えば角棒状等の種々の形状に変更が可能である。
【００３４】
本実施形態では、底板の全ての側面をバンド部材でくくり、底板を開閉可能に取り付けている。しかし、例えば、底板の一方側面にヒンジを設け、他方側面をバンド部材等でくくることにより、ヒンジを中心に底板を回動させて開閉可能とすることができる。ただし、低コストに底板を開閉可能とできる点や、底板が腐食したときに簡単に交換できる点で本実施形態に優位性がある。
【符号の説明】
【００３５】
１・・・フクロウ用巣箱  ５・・・成鳥フクロウ（フクロウ）  １１・・・開口部  １１ａ・・・−Ｈ側開口縁部（下端開口縁部）  ３５・・・底板  ３５ａ・・・内側底面  ４０・・・止まり木  
【図１】
0005698937.tif 000002
【図２】
0005698937.tif 000003
【図３】
0005698937.tif 000004
【図４】
0005698937.tif 000005
【図５】
0005698937.tif 000006
【図６】
0005698937.tif 000007